(57)【要約】【課題】本体の運転時において騒音の発生を抑制することができることを目的とする。【解決手段】循環用送風装置は両軸の電動機にファンを２個装備し、吸込み口の吸込面積をフロントパネルの上面全体に設けたという構成にしたことにより、吸込み口に吸い込まれる風速が低下し、循環用送風装置３ａ、３ｂに流入する空気がスムーズになるので、本体の運転時において騒音の発生を抑制することができる浴室換気空調装置を得ることができる。【選択図】図１
2013185715.tif 000002
【特許請求の範囲】
【請求項１】
フロントパネルと、前記フロントパネルの上面に開口形成された吸込み口と、前記フロントパネルの下面に形成された吹出し口と、前記フロントパネル内に設けられた循環用送風装置と、前記フロントパネル内に設けられた空気加熱装置と、前記吹出し口の風路内に前記循環用送風装置より送られた気流の風向を制御する風向変更手段を備え、前記循環用送風装置は両軸の電動機にファンを２個装備し、前記吸込み口の吸込面積を前記フロントパネルの上面全体に設けたことを特徴とする浴室換気空調装置。
【請求項２】
風向変更手段を複数個設け、各々が独立して動作することを特徴とする浴室換気空調装置。
【発明の詳細な説明】
【技術分野】
【０００１】
本発明は、浴室の内壁面に取付けて使用される換気機能を備えた壁掛け型の浴室換気空調装置に関するものである。
【背景技術】
【０００２】
従来より、壁掛け型の浴室換気空調装置は、騒音の低減の方法として、吹出し口と吸込み口の位置を入浴者に向けて直接騒音が伝わらないように変更することで騒音を低減させている。（例えば、特許文献１参照）。
【０００３】
以下、その浴室換気空調装置について、図４を参照しながら説明する。
【０００４】
図に示すように、浴室換気空調装置は換気機能を備えており、換気運転は換気部１０１に内蔵されている換気用送風装置１０２を動作させ、浴室内の空気（湿気）を循環部１０３の背面の浴室壁面１０４に設けられた排出口１０５より屋外に排出することで行っている。
【０００５】
そして、浴室壁面１０４に設置された浴室換気空調装置の循環部１０３には、循環用送風装置１０６が配備され、浴室内の空気をケーシング内に吸引するための吸込み口１０７が設けられている。
【０００６】
そして、ケーシングの下部には、循環用送風装置が上面から浴室の空気を吸引するように横長の姿勢で取り付けられ、循環用送風装置１０６は、モーター１０８によってシロッコファン１０９を駆動し、浴室内の空気を吸込み口１０７からケーシング内に取り込み、吸引した空気を空気加熱装置で加熱し、室内へ送風するための吹出し口１１０である。
【０００７】
このような構成のため、循環用送風装置１０６より発生した騒音が吹出し口１１０より入浴者に直接に伝わり、耳障りであるといった課題があった。
【先行技術文献】
【特許文献】
【０００８】
【特許文献１】特開２０００−１９３２６６号公報
【発明の概要】
【発明が解決しようとする課題】
【０００９】
このような従来の浴室換気空調装置においては、浴室内では浴槽もしくはその周辺の洗い場に対向するように浴室換気空調装置が設置される場合が多い。
【００１０】
従来の浴室換気空調装置では、運転時に浴室内の空気をケーシング内に吸引して、熱交換した空気を吹き出すための吹出し口が本体正面の下部に設けているため、入浴中に暖房運転を行うと、循環用送風装置にて発生するシロッコファンの風切り音等による循環用送風装置の動作音が、ケーシングの正面の下部に設けられた吹出し口から浴室内にいる入浴者に向けて直接に伝わり、入浴者にとってうるさく感じられ、耳障りとなり、本体の運転時において騒音が発生する、という課題を有していた。
【００１１】
そこで本発明は、上記従来の課題を解決するものであり、本体の運転時において騒音の発生を防止することができる浴室換気空調装置を提供することを目的とする。
【課題を解決するための手段】
【００１２】
そして、この目的を達成するために、本発明は、フロントパネルと、前記フロントパネルの上面に開口形成された吸込み口と、前記フロントパネルの下面に形成された吹出し口と、前記フロントパネル内に設けられた循環用送風装置と、前記フロントパネル内に設けられた空気加熱装置と、前記吹出し口の風路内に前記送風装置より送られた気流の風向を制御する風向変更手段を備え、前記送風装置は両軸の電動機にファンを２個装備し、前記吸込み口の吸込面積を前記フロントパネルの上面全体に設けたこととしたものであり、これにより所期の目的を達成するものである。
【発明の効果】
【００１３】
本発明によれば、フロントパネルと、前記フロントパネルの上面に開口形成された吸込み口と、前記フロントパネルの下面に形成された吹出し口と、前記フロントパネル内に設けられた循環用送風装置と、前記フロントパネル内に設けられた空気加熱装置と、前記吹出し口の風路内に前記循環用送風装置より送られた気流の風向を制御する風向変更手段を備え、前記循環用送風装置は両軸の電動機にファンを２個装備し、前記吸込み口の吸込面積を前記ケーシングの上面全体に設けた、という構成にしたことにより、吸込み口に吸い込まれる風速が低下し、送風装置に流入する空気がスムーズになることとなるので、本体の運転時において騒音の発生を抑制することができる、という効果を得ることができる。
【図面の簡単な説明】
【００１４】
【図１】本発明の実施の形態１の浴室換気空調装置の構成を示す図
【図２】本発明の実施の形態２の浴室換気空調装置の構成を示す図（（ａ）正面図、（ｂ）Ａ−Ａ断面図、（ｃ）Ｂ−Ｂ断面図）
【図３】同浴室換気空調装置の風向変更手段を示す図
【図４】従来の浴室換気空調装置の全体の構成を示す側面図
【発明を実施するための形態】
【００１５】
本発明の請求項１記載の浴室換気空調装置は、フロントパネルと、前記フロントパネルの上面に開口形成された吸込み口と、前記フロントパネルの下面に形成された吹出し口と、前記フロントパネル内に設けられた循環用送風装置と、前記フロントパネル内に設けられた空気加熱装置と、前記吹出し口の風路内に前記循環用送風装置より送られた気流の風向を制御する風向変更手段を備え、前記循環用送風装置は両軸の電動機にファンを２個装備し、前記吸込み口の吸込面積を前記フロントパネルの上面全体に設けた、という構成を有する。これにより、吸込み口に吸込まれる風速が低下し、送風装置に流入する空気がスムーズになるので、本体の運転時において騒音の発生を抑制することができる、という効果を奏する。
【００１６】
また、風向変更手段を複数個設け、各々が独立して動作する、という構成にしてもよい。これにより、風向変更手段により吹き出される空気は、各々が独立して風向変更手段に沿って吹き出されることとなるので、設置されている障害物を回避させ、浴室内の温度分布を一定にさせて浴室環境を向上させることができる、という効果を奏する。
【００１７】
以下、本発明の実施の形態について図面を参照しながら説明する。
【００１８】
（実施の形態１）
図１の（ａ）、（ｂ）において、浴室換気空調装置は、浴室９内に設置される循環部１と、浴室９の屋外１０に設置される換気部１１と、循環部１と換気部１１とを浴室９の壁１２内で連結されるダクト１３にて構成される。
【００１９】
なお、換気部１１を省略して循環部１の単体を浴室９内に設置することで、暖房機として使用することも可能である。
【００２０】
循環部１はフロントパネル１４に、上方に吸込み口１５と下方に２箇所の吹出し口２とを設け、浴室９内の空気を吸込み口１５より下方に設置している循環用送風装置３ａ、３ｂと循環用送風装置３ａ、３ｂを駆動させる循環モーター４を用いて上方から浴室９内の空気を吸込み、循環用送風装置３ａ、３ｂを通って、吹出し口２より浴室９内へ送風し、結果、浴室９内の空気を循環させ、また、浴室９内の暖房をおこなう場合は、循環用送風装置３ａ、３ｂと吹出し口２との間に設けた左右方向に並べて設けた２箇所の空気加熱装置５に接触させることにより加熱させ温風にし、吹出し口２より浴室９内に吹出させ、浴室９内の寒さを緩和することができる。
【００２１】
なお、循環用送風装置３ａ、３ｂは、シロッコファンを用いている。
【００２２】
また、空気加熱装置５は、ＰＴＣヒータ、輻射ヒータ、シーズヒータ等があるが、好ましくはＰＴＣヒータが良く、安全性に優れるからである。
【００２３】
そして、浴室９内から吸込んだ空気を屋外１０へ排気する場合、いわゆる換気（排気）をおこなう場合は、換気部１１にダクト１３に接続される換気吸込み口１６と側面（紙面に向かって手前側）に排気口（図示せず）を設け、換気ファン１７と換気ファン１７を駆動する換気モーター（図示せず）を用いて取付け板の側面からダクト１３を介して浴室９から吸込んだ空気を換気部１１へ搬送し屋外１０へ排気する。
【００２４】
また、浴室９内から吸込んだ空気を屋外１０へ排気しながら循環も同時におこなう場合、いわゆる乾燥、涼風をおこなう場合は、循環モーター４および換気モーター（図示せず）の両方を駆動させる。
【００２５】
また、乾燥をおこなう場合は、循環部１内の空気加熱装置５により加熱し温風として吹出し口２より浴室９内に吹出しながら、換気部より浴室９内の空気を屋外へ排出する。
【００２６】
また、涼風を行う場合は、空気加熱装置５を停止させ、その他の動作は乾燥を行う場合と同様にする。
【００２７】
次に、本発明における運転時の動作について説明する。循環用送風装置３ａ、３ｂは循環モーター４の両側に位置し、循環モーター４を回転させると、フロントパネル１４の天面の設けられた吸込み口１５より吸込んだ浴室９内の空気を循環用送風装置３ａ、３ｂを通させ、空気加熱装置５に接触させ通過し、フロントパネル１４の下面の設けられた吹出し口２より浴室９内へ空気を送り出す。
【００２８】
また、２個直列に配備された両吸込みの循環用送風装置３ａ、３ｂは、フロントパネル１４の天面の全体に設けられた吸込み口１５からスムーズに空気が流入し、その分、循環用送風装置３ａ、３ｂの回転をおとす、すなわち、低速にすることで、風速が低下して、従来例のような運転時の騒音発生源、例えば循環用送風装置３ａ、３ｂのファンの風切音を抑制することができるため、入浴者への耳障りな音を低減させることができる。
【００２９】
（実施の形態２）
図２の（ａ）、（ｂ）、（ｃ）に示すように、浴室換気空調装置は、浴室９内に設置される循環部１と、浴室９の屋外１０に設置される換気部１１と、循環部１と換気部１１とを浴室９の壁内で連結されるダクト１３にて構成される。
【００３０】
なお、実施の形態１と同様、換気部１１を省略して循環部１の単体を浴室９内に設置することで、暖房機として使用することも可能である。
【００３１】
実施の形態１と同じ構成については同じ符号を付し、詳細な説明は省略する。
【００３２】
図３に示すように、風向変更手段６は、風向変更手段６を回転可能に指示する回転軸１８と、回転軸１８に回転可能に保持され、貫通された開口部２２を風路として吹出し口２から出る気流の風向を回転軸１８の回転方向に制御する案内翼２１と、案内翼２１に回転軸１８を回転可能に保持する保持部２０と、回転軸１８の片方に回転軸１８を回転させる駆動手段７（一例としてステッピングモータ）と、回転軸１８に貫通され、かつ逆ハの字型に固定される複数の風向変更板１９とからなる構成とする。
【００３３】
図２に示すように、浴室９の壁に取付ける場所は、周囲の障害物８により変わってくる。周囲の障害物８を避けて取付けた場合において、次は吹出し口２と障害物８が干渉する場合が発生するが、風向変更手段６は、左右２箇所それぞれが独立して回転することができることにより、浴室９内の構成にあわせて障害物８を避けて吹出し方向を選択でき、浴室９内の温度分布を一定に確保することができる。
【産業上の利用可能性】
【００３４】
本発明にかかる浴室換気空調装置は、本体の運転時において騒音を防止することができ、障害物があっても浴室内の温度分布を一定にすることを可能とするものであるので、浴室壁面に取付けられる機器への機能として有用である。
【符号の説明】
【００３５】
１    循環部
２    吹出し口
３ａ  循環用送風装置
３ｂ  循環用送風装置
４    循環モーター
５    空気加熱装置
６    風向変更手段
７    駆動手段
８    障害物
９    浴室
１０  屋外
１１  換気部
１２  壁
１３  ダクト
１４  フロントパネル
１５  吸込み口
１６  換気吸込み口
１７  換気ファン
１８  回転軸
１９  風向変更板
２０  保持部
２１  案内翼
２２  開口部
【図１】
2013185715.tif 000003
【図２】
2013185715.tif 000004
【図３】
2013185715.tif 000005
【図４】
2013185715.tif 000006